(57)【特許請求の範囲】
【請求項１】
複数のＬＥＤ光源をそれぞれ点灯制御するＬＥＤ点灯装置であって、
各ＬＥＤ光源に電力を供給する機能を有する電力供給部と、
前記複数のＬＥＤ光源のうち、前記電力供給部に接続されるＬＥＤ光源を選択する切替部と、
前記複数のＬＥＤ光源のそれぞれに前記電力供給部から供給される電力レベルを対応付けてあり、前記電力供給部に接続される前記ＬＥＤ光源が選択される際に前記電力レベルを切り替える調光制御部と、
前記電力供給部に接続されている前記ＬＥＤ光源の異常を検出する異常検出部とを備え、
前記ＬＥＤ光源には、前記異常検出部で前記ＬＥＤ光源の異常が検出されたときにオンからオフに切り替わる出力カットオフスイッチと前記切替部とが接続され、前記ＬＥＤ光源の低圧側には、前記ＬＥＤ光源の前記電力レベルを切り替えるためのＬＥＤドライブ駆動スイッチが接続され、
前記調光制御部は、前記電力供給部に接続されている前記ＬＥＤ光源をＰＷＭ制御によって調光制御し、前記電力供給部に接続されている前記ＬＥＤ光源に対して調光レベルを段階的に切り替える際に、時間経過に伴ってオンデューティを漸増または漸減させる
ことを特徴とするＬＥＤ点灯装置。
【請求項２】
複数のＬＥＤ光源をそれぞれ点灯制御するＬＥＤ点灯装置であって、
各ＬＥＤ光源に電力を供給する機能を有する電力供給部と、
前記複数のＬＥＤ光源のうち、前記電力供給部に接続されるＬＥＤ光源を選択する切替部と、
前記複数のＬＥＤ光源のそれぞれに前記電力供給部から供給される電力レベルを対応付けてあり、前記電力供給部に接続される前記ＬＥＤ光源が選択される際に前記電力レベルを切り替える調光制御部と、
前記電力供給部に接続されている前記ＬＥＤ光源の異常を検出する異常検出部と、
前記電力供給部に接続されている前記ＬＥＤ光源に供給される電気量を検出する電気量検出部とを備え、
前記ＬＥＤ光源には、前記異常検出部で前記ＬＥＤ光源の異常が検出されたときにオンからオフに切り替わる出力カットオフスイッチと前記切替部とが接続され、前記ＬＥＤ光源の低圧側には、前記ＬＥＤ光源の前記電力レベルを切り替えるためのＬＥＤドライブ駆動スイッチが接続され、
前記異常検出部は、前記電気量検出部で検出された前記電気量が予め設定された範囲から外れる場合に、前記電力供給部に接続されている前記ＬＥＤ光源の異常を検出し、
前記異常検出部は、前記ＬＥＤ光源ごとに前記範囲を有し、前記電力供給部に接続される前記ＬＥＤ光源が選択される際に前記範囲を切り替える
ことを特徴とするＬＥＤ点灯装置。
【請求項３】
前記電力供給部に接続されている前記ＬＥＤ光源に供給される電気量を検出する電気量検出部を備え、
前記異常検出部は、前記電気量検出部で検出された前記電気量が予め設定された範囲から外れる場合に、前記電力供給部に接続されている前記ＬＥＤ光源の異常を検出する
ことを特徴とする請求項１記載のＬＥＤ点灯装置。
【請求項４】
前記異常検出部は、前記ＬＥＤ光源ごとに前記範囲を有し、前記電力供給部に接続される前記ＬＥＤ光源が選択される際に前記範囲を切り替えることを特徴とする請求項３記載のＬＥＤ点灯装置。
【請求項５】
前記異常検出部は、前記ＬＥＤ光源の異常に関する情報を外部装置に出力する機能を有することを特徴とする請求項２〜４のいずれか１項に記載のＬＥＤ点灯装置。
【請求項６】
請求項１〜５のいずれか１項に記載のＬＥＤ点灯装置と、
それぞれ前記ＬＥＤ点灯装置から電力が供給されると点灯する複数のＬＥＤ光源と
を備えることを特徴とする照明装置。
【請求項７】
請求項６記載の照明装置を備えることを特徴とする車両。
【発明の詳細な説明】
【技術分野】
【０００１】
本発明は、複数のＬＥＤ（Light Emitting Diode）光源を点灯制御するＬＥＤ点灯装置、このＬＥＤ点灯装置を用いた照明装置、および、この照明装置を含む車両に関する。
【背景技術】
【０００２】
従来から、ＬＥＤ光源を点灯制御するＬＥＤ点灯装置は、種々開発され市販されている（例えば特許文献１参照）。
【０００３】
また、近年、自動車の前照灯（例えば走行ビーム前照灯（ハイビーム）、すれ違いビーム前照灯（ロービーム）、パーキングランプ、ターニングランプ（方向指示器）、デイタイムランニングランプなど）に、ハロゲンランプや放電ランプなどに代えて、ＬＥＤ光源の採用が進んできている。他の分野においても、他のランプに代えてＬＥＤ光源が用いられるようになってきている。
【０００４】
今後、照明負荷としてＬＥＤ光源が採用されていくと、１つの製品において、複数のＬＥＤ光源が用いられることになる。
【先行技術文献】
【特許文献】
【０００５】
【特許文献１】特開２００８−２１０５３７号公報
【発明の概要】
【発明が解決しようとする課題】
【０００６】
しかしながら、従来のＬＥＤ点灯装置を用いた場合、複数のＬＥＤ光源を点灯制御するためには、ＬＥＤ光源ごとにＬＥＤ点灯装置を用意する必要があった。つまり、同時に用いることがないＬＥＤ光源の組み合わせがあったとしても、これらのＬＥＤ光源の間で調光などの機能が異なるため、ＬＥＤ光源ごとにＬＥＤ点灯装置が必要であった。その結果、従来のＬＥＤ点灯装置では、複数のＬＥＤ点灯装置を設置するために大きなスペースが必要であり、装置台数が多くなるために重量が増え、さらに高コストになるという問題があった。
【０００７】
本発明は上記の点に鑑みて為され、本発明の目的は、複数のＬＥＤ光源を点灯制御する装置であって小型化、軽量化および低コスト化を同時に図ることができるＬＥＤ点灯装置、このＬＥＤ点灯装置を用いた照明装置、および、この照明装置を含む車両を提供することにある。
【課題を解決するための手段】
【０００８】
請求項１に係るＬＥＤ点灯装置の発明は、複数のＬＥＤ光源をそれぞれ点灯制御する装置である。上記ＬＥＤ点灯装置は、電力供給部と、切替部と、調光制御部と、異常検出部とを備える。上記電力供給部は、各ＬＥＤ光源に電力を供給する機能を有する。上記切替部は、上記複数のＬＥＤ光源のうち、上記電力供給部に接続されるＬＥＤ光源を選択する。上記調光制御部は、上記複数のＬＥＤ光源のそれぞれに上記電力供給部から供給される電力レベルを対応付けてあり、上記電力供給部に接続される上記ＬＥＤ光源が選択される際に上記電力レベルを切り替える。上記異常検出部は、上記電力供給部に接続されている上記ＬＥＤ光源の異常を検出する。上記ＬＥＤ光源には、上記異常検出部で上記ＬＥＤ光源の異常が検出されたときにオンからオフに切り替わる出力カットオフスイッチと上記切替部とが接続され、上記ＬＥＤ光源の低圧側には、上記ＬＥＤ光源の上記電力レベルを切り替えるためのＬＥＤドライブ駆動スイッチが接続されている。上記調光制御部は、上記電力供給部に接続されている上記ＬＥＤ光源をＰＷＭ（Pulse Width Modulation）制御によって調光制御する。上記調光制御部は、上記電力供給部に接続されている上記ＬＥＤ光源に対して調光レベルを段階的に切り替える際に、時間経過に伴ってオンデューティを漸増または漸減させる。
【０００９】
請求項２に係るＬＥＤ点灯装置の発明は、複数のＬＥＤ光源をそれぞれ点灯制御する装置である。上記ＬＥＤ点灯装置は、電力供給部と、切替部と、調光制御部と、異常検出部と、電気量検出部とを備える。上記電力供給部は、各ＬＥＤ光源に電力を供給する機能を有する。上記切替部は、上記複数のＬＥＤ光源のうち、上記電力供給部に接続されるＬＥＤ光源を選択する。上記調光制御部は、上記複数のＬＥＤ光源のそれぞれに上記電力供給部から供給される電力レベルを対応付けてあり、上記電力供給部に接続される上記ＬＥＤ光源が選択される際に上記電力レベルを切り替える。上記異常検出部は、上記電力供給部に接続されている上記ＬＥＤ光源の異常を検出する。上記電気量検出部は、上記電力供給部に接続されている上記ＬＥＤ光源に供給される電気量を検出する。上記ＬＥＤ光源には、上記異常検出部で上記ＬＥＤ光源の異常が検出されたときにオンからオフに切り替わる出力カットオフスイッチと上記切替部とが接続され、上記ＬＥＤ光源の低圧側には、上記ＬＥＤ光源の上記電力レベルを切り替えるためのＬＥＤドライブ駆動スイッチが接続されている。上記異常検出部は、上記電気量検出部で検出された上記電気量が予め設定された範囲から外れる場合に、上記電力供給部に接続されている上記ＬＥＤ光源の異常を検出する。上記異常検出部は、上記ＬＥＤ光源ごとに上記範囲を有する。上記異常検出部は、上記電力供給部に接続される上記ＬＥＤ光源が選択される際に上記範囲を切り替える。上記ＬＥＤ光源に供給される電気量とは、上記ＬＥＤ光源に印加される負荷電圧、上記ＬＥＤ光源に流れる負荷電流をいう。
【００１０】
請求項３に係るＬＥＤ点灯装置の発明は、請求項１の発明において、電気量検出部を備える。上記電気量検出部は、上記電力供給部に接続されている上記ＬＥＤ光源に供給される電気量を検出する。請求項３の発明において、上記異常検出部は、上記電気量検出部で検出された上記電気量が予め設定された範囲から外れる場合に、上記電力供給部に接続されている上記ＬＥＤ光源の異常を検出する。上記ＬＥＤ光源に供給される電気量とは、上記ＬＥＤ光源に印加される負荷電圧、上記ＬＥＤ光源に流れる負荷電流をいう。
【００１１】
請求項４に係るＬＥＤ点灯装置の発明では、請求項３の発明において、上記異常検出部は、上記ＬＥＤ光源ごとに上記範囲を有する。請求項４の発明において、上記異常検出部は、上記電力供給部に接続される上記ＬＥＤ光源が選択される際に上記範囲を切り替える。
【００１２】
請求項５に係るＬＥＤ点灯装置の発明は、請求項２〜４のいずれか１項の発明において、上記異常検出部は、上記ＬＥＤ光源の異常に関する情報を外部装置に出力する機能を有する。
【００１３】
請求項６に係る照明装置の発明は、請求項１〜５のいずれか１項のＬＥＤ点灯装置と、それぞれ上記ＬＥＤ点灯装置から電力が供給されると点灯する複数のＬＥＤ光源とを備える。
【００１４】
請求項７に係る車両の発明は、請求項６の照明装置を備える。
【発明の効果】
【００１５】
請求項１，６，７の発明によれば、電力供給部に接続されるＬＥＤ光源を切替部が選択する際に調光制御部が電力レベルを切り替えることによって、定格電力などの仕様が異なる複数のＬＥＤ光源に対して電力供給部を共用することができる。その結果、請求項１，６，７の発明では、ＬＥＤ光源ごとにＬＥＤ点灯装置を備える場合に比べて、小型化（省スペース化）、軽量化および低コスト化を図ることができる。
請求項１の発明および請求項１を引用する請求項６，７の発明によれば、電力供給部に接続されているＬＥＤ光源に対して調光レベルを段階的に切り替える際に、調光制御部が時間経過に伴ってオンデューティを漸増または漸減させることによって、利用者に違和感を与えずに上記ＬＥＤ光源の光量を徐々に変更させることができる。
【００１６】
請求項２，６，７の発明によれば、電力供給部に接続されるＬＥＤ光源を切替部が選択する際に調光制御部が電力レベルを切り替えることによって、定格電力などの仕様が異なる複数のＬＥＤ光源に対して電力供給部を共用することができる。その結果、請求項２，６，７の発明では、ＬＥＤ光源ごとにＬＥＤ点灯装置を備える場合に比べて、小型化（省スペース化）、軽量化および低コスト化を図ることができる。
請求項２の発明および請求項２を引用する請求項６，７の発明によれば、ＬＥＤ光源に供給される電気量が予め設定された範囲（正常範囲）から外れた場合に異常検出部がＬＥＤ光源の異常を検出することによって、ＬＥＤ光源の異常を早期に把握することができる。
請求項２の発明および請求項２を引用する請求項６，７の発明によれば、異常検出部がＬＥＤ光源ごとに上記範囲を変更することによって、各ＬＥＤ光源に適した異常検出を行うことができる。
【００１７】
請求項３の発明によれば、ＬＥＤ光源に供給される電気量が予め設定された範囲（正常範囲）から外れた場合に異常検出部がＬＥＤ光源の異常を検出することによって、ＬＥＤ光源の異常を早期に把握することができる。
【００１８】
請求項４の発明によれば、異常検出部がＬＥＤ光源ごとに上記範囲を変更することによって、各ＬＥＤ光源に適した異常検出を行うことができる。
【００１９】
請求項５の発明によれば、ＬＥＤ光源の異常に関する情報を異常検出部が外部装置に出力することによって、ＬＥＤ光源の異常を利用者に早期に知らせることができる。
【図面の簡単な説明】
【００２０】
【図１】実施形態１に係る照明装置の概略図である。
【図２】同上に係る照明装置において、（ａ）が通常点灯時の負荷電流を示す図、（ｂ）が調光点灯時の負荷電流を示す図
【図３】同上に係るＬＥＤ点灯装置において、デューティの切替時の動作を説明するための図である。
【図４】同上に係る異常検出部の回路図である。
【図５】同上に係るＬＥＤ光源の異常を検出するための閾値を示す図である。
【図６】同上の変形例に係るＬＥＤ点灯装置において、デューティの切替時の動作を説明するための図である。
【図７】実施形態２に係る車両の外観図である。
【発明を実施するための形態】
【００２１】
（実施形態１）
実施形態１に係る照明装置１は、図１に示すように、それぞれ電力が供給されると点灯する複数（図示例では４つ）のＬＥＤ光源２，２・・・と、複数のＬＥＤ光源２，２・・・をそれぞれ点灯制御する２つのＬＥＤ点灯装置３，３とを備えている。各ＬＥＤ点灯装置３には、２つのＬＥＤ光源２，２が接続されている。なお、２つのＬＥＤ点灯装置３，３を区別して説明するときは、第１のＬＥＤ点灯装置３１、第２のＬＥＤ点灯装置３２とする。また、各ＬＥＤ点灯装置３において、２つのＬＥＤ光源２，２を区別して説明するときは、第１のＬＥＤ光源２１、第２のＬＥＤ光源２２とする。
【００２２】
各ＬＥＤ光源２は、複数のＬＥＤ２３，２３・・・が直列に接続されている。各ＬＥＤ２３は、アノードとカソードとの間に電圧が印加されると電流が流れて点灯する。
【００２３】
各ＬＥＤ点灯装置３は、入力端３３，３４に直流電源４が接続され、プラス側の出力端３５，３５に各ＬＥＤ光源２のアノード側が接続され、マイナス側の出力端３６，３６に各ＬＥＤ光源２のカソード側が接続されている。入力端３４はグランド（ＧＮＤ）に接続されている。第１のＬＥＤ点灯装置３１と第２のＬＥＤ点灯装置３２は、グランドを共有している。入力端３７からは後述の制御信号が入力される。
【００２４】
各ＬＥＤ点灯装置３は、ＤＣ／ＤＣコンバータ５１と、第１のスイッチ５２と、第２のスイッチ５３と、切替制御部５４とを備えている。また、各ＬＥＤ点灯装置３は、負荷電圧監視部６１と、負荷電流監視部６２と、電源電圧監視部６３と、ＬＥＤドライブ駆動スイッチ６４と、ＰＷＭコントローラ６５と、出力カットオフスイッチ６６とを備えている。第１のＬＥＤ点灯装置３は、ＰＷＭ発生器６７と、異常検出部６８とをさらに備えている。切替制御部５４とＰＷＭコントローラ６５とＰＷＭ発生器６７と異常検出部６８は、制御電源６９からの電力によって動作する。
【００２５】
ＤＣ／ＤＣコンバータ５１は、ＰＷＭコントローラ６５の制御によって、直流電源４からの直流電圧を、出力側に電気的に接続されているＬＥＤ光源２に適した直流電圧に変換する。変換された直流電圧は、上記ＬＥＤ光源２に印加される。つまり、ＤＣ／ＤＣコンバータ５１は、各ＬＥＤ光源２に電力を供給する機能を有する。ＤＣ／ＤＣコンバータ５１は、本発明の電力供給部に相当する。
【００２６】
第１のスイッチ５２は、ＤＣ／ＤＣコンバータ５１と第１のＬＥＤ光源２１との間に挿入されている。第１のスイッチ５２は、オンになるとＤＣ／ＤＣコンバータ５１から第１のＬＥＤ光源２１への電力供給を可能とし、オフになるとＤＣ／ＤＣコンバータ５１から第１のＬＥＤ光源２１への電力供給を遮断する。
【００２７】
第２のスイッチ５３は、ＤＣ／ＤＣコンバータ５１と第２のＬＥＤ光源２２との間に挿入されている。第２のスイッチ５３は、オンになるとＤＣ／ＤＣコンバータ５１から第２のＬＥＤ光源２２への電力供給を可能とし、オフになるとＤＣ／ＤＣコンバータ５１から第２のＬＥＤ光源２２への電力供給を遮断する。
【００２８】
切替制御部５４は、マイクロプロセッサ（ＭＰＵ：Micro Processing Unit）などで構成されている。切替制御部５４は、第１のスイッチ５２のオンオフおよび第２のスイッチ５３のオンオフをそれぞれ切り替えることによって、ＤＣ／ＤＣコンバータ５１に電気的に接続されるＬＥＤ光源２を選択する。つまり、切替制御部５４が第１のスイッチ５２をオンにし、第２のスイッチ５３をオフにした場合、第１のＬＥＤ光源２１とＤＣ／ＤＣコンバータ５１とが電気的に接続される。この場合、第１のＬＥＤ光源２１は、ＤＣ／ＤＣコンバータ５１から電力供給されて点灯する。一方、切替制御部５４が第１のスイッチ５２をオフにし、第２のスイッチ５３をオンにした場合、第２のＬＥＤ光源２２がＤＣ／ＤＣコンバータ５１に電気的に接続される。この場合、第２のＬＥＤ光源２２は、ＤＣ／ＤＣコンバータ５１から電力供給されて点灯する。第１のスイッチ５２と第２のスイッチ５３と切替制御部５４は、本発明の切替部に相当する。
【００２９】
負荷電圧監視部６１は、ＤＣ／ＤＣコンバータ５１に接続されているＬＥＤ光源２に印加される負荷電圧を検出する。負荷電流監視部６２は、ＤＣ／ＤＣコンバータ５１に接続されているＬＥＤ光源２に流れる負荷電流を検出する。電源電圧監視部６３は、直流電源４の電源電圧を検出する。負荷電圧監視部６１および負荷電流監視部６２は、本発明の電気量検出部に相当する。
【００３０】
ＬＥＤドライブ駆動スイッチ６４は、ＤＣ／ＤＣコンバータ５１と各ＬＥＤ光源２との間に挿入されている。ＬＥＤドライブ駆動スイッチ６４は、ＰＷＭコントローラ６５の制御によって、オンオフが切り替えられる。
【００３１】
ＰＷＭコントローラ６５は、ＤＣ／ＤＣコンバータ５１に接続されているＬＥＤ光源２をＰＷＭ制御によって点灯制御する。つまり、ＰＷＭコントローラ６５は、ＬＥＤドライブ駆動スイッチ６４のオンオフの切替を制御することによって、ＤＣ／ＤＣコンバータ５１に電気的に接続されているＬＥＤ光源２を通常点灯（１００％点灯）させたり、調光点灯させたりする。ＬＥＤドライブ駆動スイッチ６４およびＰＷＭコントローラ６５は、本発明の調光制御部に相当する。
【００３２】
ＰＷＭコントローラ６５は、ＤＣ／ＤＣコンバータ５１に接続されるＬＥＤ光源２を選択する際に電力レベルを切り替える。つまり、ＰＷＭコントローラ６５は、ＤＣ／ＤＣコンバータ５１に接続されるＬＥＤ光源２が切替制御部５４によって選択される際に、ＤＣ／ＤＣコンバータ５１に新たに接続されるＬＥＤ光源２の電力レベルに変更する。上記より、本実施形態では、第１のＬＥＤ光源２１と第２のＬＥＤ光源２２とが異なる電力レベル場合であっても、対応することができる。
【００３３】
ＰＷＭコントローラ６５は、ＤＣ／ＤＣコンバータ５１に電気的に接続されているＬＥＤ光源２を調光点灯させるための制御信号（制御電圧）が入力されていない場合、ＬＥＤドライブ駆動スイッチ６４を常時オンにする。これにより、図２（ａ）に示すように直流電流Ｉｏｕｔ１が上記ＬＥＤ光源２に流れる。ＬＥＤ光源２は、通常点灯（１００％点灯）を行う。これに対して、上記制御信号が入力された場合、ＰＷＭコントローラ６５は、ＰＷＭ制御を行い、ＬＥＤドライブ駆動スイッチ６４をオンオフさせる。これにより、図２（ｂ）に示すように、制御信号で規定されたオンデューティの矩形波の電流Ｉｏｕｔ２がＬＥＤ光源２に流れる。その結果、ＰＷＭコントローラ６５は、負荷電流を小さくさせることができ、ＬＥＤ光源２を調光点灯させることができる。
【００３４】
ＰＷＭコントローラ６５は、ＤＣ／ＤＣコンバータ５１に接続されているＬＥＤ光源２を点灯制御する際に、上記ＬＥＤ光源２の状態を確認するために、図１に示す負荷電圧監視部６１および負荷電流監視部６２から検出値（負荷電圧、負荷電流）を取得している。ＰＷＭコントローラ６５は、取得した検出値を監視しながら、ＤＣ／ＤＣコンバータ５１とＬＥＤドライブ駆動スイッチ６４とを制御して、上記ＬＥＤ光源２を定電流駆動する。
【００３５】
また、ＰＷＭコントローラ６５は、電源電圧監視部６３から検出値（電源電圧）を取得し、取得した電源電圧にばらつきがあった場合でも、ＤＣ／ＤＣコンバータ５１の変換比（出力電圧／入力電圧）を制御することによって、負荷電圧を一定に維持する。
【００３６】
ところで、ＰＷＭコントローラ６５は、調光点灯から通常点灯に切り替える際に、瞬時に切り替えるのではなく、プログラムによって、図３に示すように切替開始から切替完了までの時間が０．５秒以上１秒以下になるように滑らかに切り替える。通常点灯から調光点灯に切り替える際も同様である。上記プログラムは、メモリ（図示せず）に格納されている。つまり、ＰＷＭコントローラ６５は、ＤＣ／ＤＣコンバータ５１に接続されているＬＥＤ光源２に対して調光レベルを段階的に切り替える際に、時間経過に伴ってオンデューティを漸増または漸減させる。
【００３７】
異常検出部６８は、ＬＥＤ点灯装置３ごとに、負荷電圧監視部６１および負荷電流監視部６２の各検出値を用いて、ＤＣ／ＤＣコンバータ５１に電気的に接続されているＬＥＤ光源２の異常を検出する。ＬＥＤ光源２の異常としては、ＬＥＤ光源２の回路短絡、ＬＥＤ光源２の開放、ＬＥＤ光源２への過大電流がある。異常検出部６８は、負荷電圧監視部６１で検出された負荷電圧が例えば規定電圧（定格電圧）の４０％以下である場合に、ＤＣ／ＤＣコンバータ５１に接続されているＬＥＤ光源２が短絡していることを検出する。一方、負荷電圧が例えば規定電圧の１２０％以上である場合、異常検出部６８は、上記ＬＥＤ光源２が開放していることを検出する。また、負荷電流監視部６２で検出された負荷電流が閾値を超える場合、異常検出部６８は、上記ＬＥＤ光源２に過大電流が流れていることを検出する。
【００３８】
図４には、異常検出部６８の回路構成が示されている。異常検出部６８は、比較回路６８１と、オープンコレクタ回路６８２とを備えている。なお、図４には比較回路６８１およびオープンコレクタ回路６８２が１つずつしか示されていないが、異常検出部６８は、検出値ごとに、比較回路６８１およびオープンコレクタ回路６８２を備えている。異常検出部６８は、ＤＣ／ＤＣコンバータ５１からＬＥＤ光源２に電力が供給されている間、負荷電圧監視部６１および負荷電流監視部６２の各検出値を取得している。つまり、異常検出部６８は、負荷電圧および負荷電流を監視している。比較回路６８１は、検出値と閾値とを比較する。
【００３９】
ところで、異常検出部６８は、ＬＥＤ光源２ごとに閾値を有し、ＤＣ／ＤＣコンバータ５１に接続されるＬＥＤ光源２が選択される際に閾値を切り替える。図５には、調光前後における負荷電流の異常を検出するための閾値の一例を示す。図５では、通常点灯時は目標電流値Ｉｏｕｔ１の１０５％の値を閾値とし、調光点灯時は目標電流値Ｉｏｕｔ２の１２０％の値を閾値とする。
【００４０】
異常検出部６８は、ＤＣ／ＤＣコンバータ５１に電気的に接続されているＬＥＤ光源２の異常を検出すると、図１に示す出力カットオフスイッチ６６をオンからオフに切り替えるように制御する。これにより、異常検出部６８は、上記ＬＥＤ光源２の異常が検出した場合、ＤＣ／ＤＣコンバータ５１から上記ＬＥＤ光源２への電力供給を停止させることができる。
【００４１】
また、異常検出部６８は、検出した異常に関する情報を外部装置７に出力する機能を有している。図４に示すオープンコレクタ回路６８２は、外部装置７に接続され、この外部装置７に比較回路６８１の比較結果（異常フラグ）を出力する。外部装置７では、ＬＥＤ７１の点滅または非点滅によって、ＤＣ／ＤＣコンバータ５１に接続されているＬＥＤ光源２が異常である旨が表示される。
【００４２】
以上、本実施形態によれば、ＤＣ／ＤＣコンバータ５１に接続されるＬＥＤ光源２を切替制御部５４が第１のスイッチ５２および第２のスイッチ５３を用いて選択する際にＰＷＭコントローラ６５が電力レベルを切り替えることによって、定格電力などの仕様が異なる複数のＬＥＤ光源２，２に対してＤＣ／ＤＣコンバータ５１を共用することができる。その結果、本実施形態では、ＬＥＤ光源ごとにＬＥＤ点灯装置を備える場合に比べて、小型化（省スペース化）、軽量化および低コスト化を図ることができる。
【００４３】
また、本実施形態によれば、ＤＣ／ＤＣコンバータ５１に接続されているＬＥＤ光源２に対して調光レベルを段階的に切り替える際に、ＰＷＭコントローラ６５が時間経過に伴ってオンデューティを漸増または漸減させることによって、利用者に違和感を与えずに上記ＬＥＤ光源２の光量を徐々に変更させることができる。
【００４４】
さらに、本実施形態によれば、ＬＥＤ光源２に供給される電気量（負荷電圧、負荷電流）が予め設定された範囲（正常範囲）から外れた場合に異常検出部６８がＬＥＤ光源２の異常を検出することによって、ＬＥＤ光源２の異常を早期に把握することができる。このとき、本実施形態では、異常検出部６８がＬＥＤ光源２ごとに上記範囲を変更することによって、各ＬＥＤ光源２に適した異常検出を行うことができる。
【００４５】
また、本実施形態によれば、ＬＥＤ光源２の異常に関する情報を異常検出部６８が外部装置７に出力することによって、ＬＥＤ光源２の異常を利用者に早期に知らせることができる。
【００４６】
なお、本実施形態の変形例として、ＰＷＭコントローラ６５は、例えば制御回路部のＣＲ時定数によって、図６に示すように滑らかに切り替えてもよい。
【００４７】
（実施形態２）
実施形態２では、実施形態１の照明装置１（図１参照）を搭載した車両８について図７を用いて説明する。本実施形態の照明装置１には、車両８に搭載されているバッテリが直流電源４として接続されている。また、本実施形態のＬＥＤ光源２としては、例えば走行ビーム前照灯、すれ違いビーム前照灯、ターニングランプ、パーキングランプ、デイタイムランニングランプなどが用いられる。ただし、同じＬＥＤ点灯装置３に接続される第１のＬＥＤ光源２１と第２のＬＥＤ光源２２としては、同時に点灯しない光源を選択する必要がある。例えば、第１のＬＥＤ点灯装置３１に接続される第１のＬＥＤ光源２１としては走行ビーム前照灯を用い、第２のＬＥＤ光源２２としてはすれ違いビーム前照灯を用いることができる。また、第２のＬＥＤ点灯装置３２に接続される第１のＬＥＤ光源２１としてはターニングランプを用い、第２のＬＥＤ光源２２としてはパーキングランプを用いることができる。以下、本実施形態では、上記のようにＬＥＤ光源２を用いた場合について説明する。
【００４８】
第１のＬＥＤ点灯装置３１では、走行ビーム前照灯（第１のＬＥＤ光源２１）を点灯させるための制御信号が入力された場合、切替制御部５４は、第１のスイッチ５２をオンにし、第２のスイッチ５３をオフにする。ＤＣ／ＤＣコンバータ５１から走行ビーム前照灯に電力が供給され、走行ビーム前照灯が点灯する。これに対して、すれ違いビーム前照灯（第２のＬＥＤ光源２２）を点灯させるための制御信号が入力された場合、切替制御部５４は、第１のスイッチ５２をオフにし、第２のスイッチ５３をオンにする。ＤＣ／ＤＣコンバータ５１からすれ違いビーム前照灯に電力が供給され、すれ違いビーム前照灯が点灯する。
【００４９】
第２のＬＥＤ点灯装置３２では、ターニングランプ（第１のＬＥＤ光源２１）を点滅させるための制御信号が入力された場合、切替制御部５４は、第１のスイッチ５２をオンにし、第２のスイッチ５３をオフにする。ＤＣ／ＤＣコンバータ５１からターニングランプに電力が供給され、ターニングランプが点滅する。これに対して、パーキングランプ（第２のＬＥＤ光源２２）を点灯させるための制御信号が入力された場合、切替制御部５４は、第１のスイッチ５２をオフにし、第２のスイッチ５３をオンにする。ＤＣ／ＤＣコンバータ５１からパーキングランプに電力が供給され、パーキングランプが点灯する。
【００５０】
本実施形態のように車両８という限られたスペースにおいては、複数のＬＥＤ光源２，２に対してＤＣ／ＤＣコンバータ５１を共用して小型化を図ることがより効果的である。
【００５１】
また、本実施形態においても、異常検出部６８は、ＬＥＤ光源２（走行ビーム前照灯、すれ違いビーム前照灯、ターニングランプ、パーキングランプ）ごとに別個の閾値を設定することができる。これにより、各ランプに対して法規や使用上で異なる基準が規定されている場合にも対応することができる。
【００５２】
なお、照明装置１は、２つのＬＥＤ点灯装置３を備えることに限定されず、１つのＬＥＤ点灯装置３のみを備えてもよいし、３つ以上のＬＥＤ点灯装置３を備えてもよい。また、ＬＥＤ点灯装置３は、２つのＬＥＤ光源２を点灯制御することに限定されず、３つ以上のＬＥＤ光源２を点灯制御してもよい。さらに、各ＬＥＤ光源２は、複数のＬＥＤ２３，２３・・・が直列に接続された構成に限定されず、複数のＬＥＤ２３，２３・・・が並列に接続された構成であってもよいし、直列接続された複数のＬＥＤ２３群が並列に接続された構成であってもよい。
【００５３】
また、ＬＥＤ点灯装置３において、負荷電圧監視部６１、負荷電流監視部６２、電源電圧監視部６３および異常検出部６８は必ずしも必要ではない。ＬＥＤ点灯装置３がこれらの構成要素を備えていない場合であっても、ＬＥＤ光源ごとにＬＥＤ点灯装置を備える場合に比べて、小型化（省スペース化）、軽量化および低コスト化を図ることができるという効果を奏する。
【符号の説明】
【００５４】
１  照明装置
２  ＬＥＤ光源
３  ＬＥＤ点灯装置
５１  ＤＣ／ＤＣコンバータ（電力供給部）
５２  第１のスイッチ（切替部）
５３  第２のスイッチ（切替部）
５４  切替制御部（切替部）
６１  負荷電圧監視部（電気量検出部）
６２  負荷電流監視部（電気量検出部）
６４  ＬＥＤドライブ駆動スイッチ（調光制御部）
６５  ＰＷＭコントローラ（調光制御部）
６８  異常検出部
８  車両
【図１】
0005588184.tif 000002
【図２】
0005588184.tif 000003
【図３】
0005588184.tif 000004
【図４】
0005588184.tif 000005
【図５】
0005588184.tif 000006
【図６】
0005588184.tif 000007
【図７】
0005588184.tif 000008